Podtech/llm-jp-corpus-v4-ja_patent huggingface dataset:
(57)【要約】          【課題】  粘土をプレ−トにし燃焼して形成する陶器の焼肉プレ−ト及びステ−キ皿は、従来のガス器具を変更する事なく肉を焦げないでおいしく焼く事を課題とする。粘土を皿にして焼成して形成する陶器の焼肉プレ−ト及びステ−キ皿は、長時間において肉等を温かな状態で保ちおいしく食べられる状態を維持する事を課題とする。          【解決手段】  真空粘土あるいは有空粘土に、熱伝導率の高い鉄粉あるいはステンレス粉を１０％以上混合し、さらに鉄繊維あるいはステンレス繊維(φ0.5ｍｍ×10ｍｍ)を10％以上混合しプレ−ト及び皿に形成し、乾燥した表面に粒子の小さい粘土を溶かした溶液を塗布し乾燥させたものを800℃〜1000℃で焼成して形成する。【特許請求の範囲】
【請求項１】
有空及び真空の粘土に熱伝導率の高い金属粉及び金属繊維を5〜20％混合し800℃
〜1100℃で焼成して形成する陶器の焼肉プレ−ト及びステ−キ皿。
【請求項２】
乾燥した粘土の表面に粒子の小さな粘土の溶液を塗布する事により給油率を軽減する事を特徴とする請求項1記載の陶器の焼肉プレ−ト及びステ−キ皿。
【請求項３】
遠赤外線をより以上に発生させるために焼成過程において不完全燃焼させた炭素を
表面に蒸着させる事を特徴とする請求項2記載の焼肉プレ−ト及びステ−キ皿。
【発明の詳細な説明】
【技術分野】
【０００１】
本発明は、粘土という低コストで形成が容易な材料を利用することによって従来のガス器具に応じた焼肉用のプレ−ト及びステ−キ皿が低コストで提供できる。
【背景技術】
【０００２】
従来の焼肉には、鉄板及び鉄製の網が用いられている。鉄製は熱伝導率が高
く、比熱が低いので従来のガスコンロでは表面の飽和温度が約３９０℃と高く、肉及び野菜が焦げておいしくなくなる問題点があった。
【０００３】
従来のステ−キ皿においても鉄製の皿が殆どで、すぐに表面温度が下がり肉及びハンバ−グ等がおいしくなくなる問題点があった。
【０００４】
最近では、遠赤外線を熱元とする炭等が利用されている場合がある。しかし肉の脂分が炭に落ちるため煙が多く、又、肉の脂部分が炭素化してきれいに焼くことができない問題点があった。
【０００５】
粘土をプレ−トにし燃焼し、肉を焼いた場合に表面に油脂が浸透しその油脂が焦げてプレ−ト自体が黒くなり肉がきれいに焼けない問題点があった。
【０００６】
粘土をプレ−トにし８００℃以上で燃焼したものをガスコンロで過熱すると
プレ−トにクラックが入る問題点があった。
【０００７】
従来のステ−キ皿では鉄製が殆どで、すぐに冷めてしまいステ−キ等がおいしくなくなる問題点があった。
【発明の開示】
【発明が解決しようとする課題】
【０００８】
この発明は上記の問題点を解決する陶器の焼肉プレ−ト及びステ−キ皿である。
【課題を解決するための手段】
【０００９】
上記の問題点を解決するため、熱伝導率が低く比熱の高い陶器を焼肉用プレ−ト及びステ−キ皿にする事を特徴とする。
【００１０】
赤外線を高めるために、不完全燃焼させた炭素を表面に蒸着させる事を特徴とする。
【００１１】
粘土の表面に粒子の細かい粘土を塗布する事により、プレ-トの給油率を軽減する事を特徴とする。
【００１２】
粘土に熱伝導率の高い金属粉及び金属繊維を少量加えることで、陶器の特性を損なうことなく陶器の火口部と離れた部との温度差をなくす事によりクラックが入らないことを特徴とする。
【発明の効果】
【００１３】
この発明の陶器の焼肉プレ−ト及びステ−キ皿は、安定した表面温度が確保できると伴に熱保存率が高いので、肉が焼ける時に発生する消失熱によっての表面温度の低下が少なくきれいに肉が焼ける効果を有する。
この発明の陶器の焼肉プレ−ト及びステ−キ皿は、従来のコンロ等器具を変更することがなく焼肉に適した表面温度のプレ−トを供給できる効果を有する。              
この発明の陶器の焼肉プレ−ト及びステ−キ皿は、熱保存率が高いので長い時間肉等を暖かな状態で保つことができる効果を有する。                        
【発明を実施するための最良の形態】
【００１４】
粘土を真空にし、鉄粉を10％混合し、さらに軟鋼繊維（φ0.5ｍｍ×10ｍｍ）を10％混合し、厚さ２ｃｍ縦３０ｃｍ横３０ｃｍのプレ−トに形成する。乾燥させたプレ−トの表面に粒子の小さい粘土を水に溶かした溶液を塗布し、９5０℃まで温度を上昇させ、火を消した状態でブタンガスを注入し不完全燃焼させ、炭素を表面に蒸着させてプレ−トをけいせいする。そのプレ−トを市販のガスコンロに設置し時間による表面温度を測定すると。プレ−トの表面の飽和温度は、低い場所で２３０℃であり、高い場所では２４８℃であった。肉が焦げないで焼ける２００℃から２6０℃の表面温度が確保できる。
飽和温度２４８℃のままで外気温が約２０℃で放置すると、表面温度が１００℃まで下がるのに約１８分かかった。鉄製のプレ−トで同様に測定すると、約２分で１００℃まで下降した。
このように、鉄製より暖かな状態が確保できる。
【産業上の利用可能性】
【００１５】
この発明の陶器の焼肉プレ−ト及びステ−キ皿は、陶器の厚さを変えることにより表面の飽和温度が変えられるため、従来の使用コンロ及び器具を変える事なく焼肉に適したプレ−ト及びステ−キ皿が提供できる。
従来は油脂が多い豚肉などは焼肉には適さなかったが、この陶器の焼肉プレ−ト及びステ−キ皿によって焦げないできれいに焼くことが可能となる。        
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
有空及び真空の粘土に熱伝導率の高い鉄粉あるいはステンレス粉を５〜20％混合しさらに鉄繊維あるいはステンレス繊維を５〜20％混合し８００℃〜１０００℃で焼成して形成する陶器の焼肉プレ−ト及びステ−キ皿。
【請求項２】
乾燥した粘土の表面に粒子の小さな粘土の溶液を塗布する事により給油率を軽減する事を特徴とする請求項1記載の陶器の焼肉プレ−ト及びステ−キ皿。
(57)【要約】【課題】  取り外しが容易でしかも快適な使用感で長期間使用できる浴槽用枕を提供する【解決手段】本体充填物を医療用などに使用されるシリコンオイルとする事を特徴とする浴槽用枕【選択図】  図２
2006150007.tif 000002
【特許請求の範囲】
【請求項１】
入浴時に後頭部が当たるように浴槽に設置する浴槽用枕で本体充填物をシリコンオイルとする事を特徴とする浴槽用枕
【発明の詳細な説明】
【技術分野】
【０００１】  本発明は浴槽の縁に設置して使用する浴槽用枕である
【背景技術】
【０００２】  現在一般的な浴槽用枕は空気でふくらませた浮き袋状のものがあるが，それは頭部をのせると不安定でシリコンゴムでは固すぎ快適な感触を得る事ができないでいた
【発明が解決しようとする課題】
【０００３】一般的な浴槽用枕は吸盤で固定するようになっているが，風呂蓋をするたびに取り外さなければならずめんどうであり，取り外しの頻度が高いと吸盤が劣化し固定できなくなってしまう
【０００４】本発明は上記課題を解決しさらに頭部への感触を快適にするための枕を提供する事にある
【課題を解決するための手段】
【０００５】上記の目的を達成するため本体の充填物が医療用などに用いられるシリコンオイルとすることでどんな形状の浴槽にも設置する事ができる
【発明の効果】
【０００６】本体は柔軟に浴槽リム面に密着するため頭部をのせても安定し，しかも人のひざ枕のような快適な感触を得る事ができる
【図面の簡単な説明】
【図１】本発明の実施形態を示す浴槽用シリコンオイル枕の断面図である
【図２】本発明品を浴槽にセットした状態である
【符号の説明】
１  浴槽用シリコンオイル枕
２  浴槽リム面
３  浴槽
【図１】
2006150007.tif 000003
【図２】
2006150007.tif 000004
(57)【要約】【課題】  普通のスペア巻紙セットは布を輪にして、その輪の中にスペア巻紙をストックした物であった。従って取り付けたり、取り替えたりするには、子供や老人には手間が掛かり不便な所があった。その欠点をのぞくのが目的である。【解決手段】  その欠点をなくすため、樹脂製の板をＪ形に製作し、Ｔ形（１）を、隙間（６）へ、下より差し入れ図８次に溝（４）を（１）の横より差し込みセットする図９、そして（２）の中へ（８）を乗せて置く図１０、図１０の上部の（８）を使いきった時は（２）の底を上方に押し上げれば、下の（８）がワンハンドでセットされる図９、後は又、（２）の中へ（８）をストックすればよい図１０。【選択図】  図１
2006150004.tif 000002
【特許請求の範囲】
【請求項１】
樹脂製の板をＪ形にするもの、上部は側面よりＴ形にした場所（１）、そのＴ形に差し込み落下を止めるもの（４）、下部は半円形に曲げた場所（２）、スペア巻紙の食み出しを防ぐ（３）、トイレのスペア巻紙のワンハンドセット器。
【発明の詳細な説明】
【発明の詳細な説明】
【技術分野】
【０００１】  この発明は、トイレの巻紙セットにスペア巻紙をセットする、更に本体の巻紙が無くなった時にワンハンドでセットできる、トイレのスペア巻紙のワンハンドセット器に関するものである。
【背景技術】
【０００２】  従来の、スペア巻紙のセットは布を輪にして、その輪の中にスペア巻紙をストックした物であった。したがって取り付け、取り替えに手間が掛かり、更に巻紙の出し入れが不便であった。
【発明が解決しようとする課題】
【０００３】  本発明は、その欠点をなくすために、樹脂製の板の上部をＴ形にする（１）、下部を半円形に曲げ（２）、そのスペア巻紙のワンハンドセット器を図７の隙間（６）へ、図１のＴ形（１）を下より差し入れる図８、そのセットした先端のＴ形（１）へ、図４の溝（４）を差し込む、完了図９。そのセットされた半円形（２）の中に巻紙（８）を乗せ、スペア巻紙のワンハンドセット器を上下させる作用を発見した。
【課題を解決するための手段】
【０００４】  樹脂製の板の上部をＴ形（１）の先端から本体図７の紙切りカバー（７）の奥の隙間（６）へ下より差し入れ図８、次に溝（４）を上部のＴ形（１）へ、横より差し込む図９。そして半円形（２）の中に巻紙（８）を乗せる図１０、上部の巻紙が無くなった時は半円形（２）の底より上方へ押し上げると、巻紙（８）がセットされ手を放すとスペア巻紙のワンハンドセット器が自然に下方に下がる図９。後は又、半円形（２）の中へ巻紙（８）を乗せて置けばよい。
【発明を実施するための最良の形態】
【０００５】  本発明は以上のように簡単な構成であるから、図７にセットする時も手間や時間もかからずシンプルである。しかもスペア巻紙のワンハンドセット器を一度セットすれば後は巻紙（８）を（２）の中へ乗せて置けば、上部の（８）が無くなった時は、いつでも半円形（２）の底を上方へ押し上げるとスペアの巻紙（８）がワンハンドでセットされる。
【発明の効果】
【０００６】  本発明は以上のように簡単な構成であるから、コストも安く、又、巻紙の先端をはがして、スペア巻紙のワンハンドセット器に乗せて置けば、子供や老人でも簡単にセットする事ができる。
【図面の簡単な説明】
【図１】本発明の側面図
【図２】本発明の斜視面図
【図３】本発明のＴ形に布カバー留めを差し込んだ正面図
【図４】本発明の布カバー留めの側面図
【図５】本発明の布カバー留めの正面図
【図６】本発明の斜視面図
【図７】本発明の本体である（ワンハンドカット式紙巻器）の斜視面図
【図８】本発明のＪ形を本体に差し込んだ斜視面図
【図９】本発明をセットした斜視面図
【図１０】本発明に巻紙をセットした斜視面図
【符号の説明】
（１）はＴ形（２）は半円形（３）は巻紙の食み出し留め（４）はＪ形の落下を留める側面図（５）は布カバー留め（６）は隙間（７）は紙切りカバー（８）は巻紙
【図１】
2006150004.tif 000003
【図２】
2006150004.tif 000004
【図３】
2006150004.tif 000005
【図４】
2006150004.tif 000006
【図５】
2006150004.tif 000007
【図６】
2006150004.tif 000008
【図７】
2006150004.tif 000009
【図８】
2006150004.tif 000010
【図９】
2006150004.tif 000011
【図１０】
2006150004.tif 000012
(57)【要約】【課題】  一般に馴染みの深いカルタ遊びの基本を利用し、年齢層を問わず気楽に参加することができる、新しい遊具の作成を課題とした。【解決手段】  読み札ではなく、ＣＤ等の媒体を通じて再生される音楽等を聴いて、それに対応する絵札をとる。カルタと音楽、それぞれは馴染みの深いものであるが、その掛け合わせにより、斬新でありながら、初めての人にも受け入れやすい遊具になり、この課題を解決する。【選択図】  なし【特許請求の範囲】
【請求項１】
読み札の役割としての、音楽作品または、映画、アニメーション、ドラマ等のサウンドトラックの一部又は全部のデータを記録した媒体と、絵札とをセットにした、音楽あるいは音声を認知して絵札をとることを目的としたカルタ。
【請求項２】
請求項１に記載のカルタ遊びを目的とした、音楽、サウンドトラックのデータ、又はそれらを記録した媒体、絵札や絵札を作成するための画像データの単独品又はその組み合わせ。
【発明の詳細な説明】
【技術分野】
【０００１】  本発明は、音楽や、アニメーション等のサウンドトラックを聴いて、それに対応する絵札をとることを競うカルタに関する。
【背景技術】
【０００２】  従来のカルタは、読み札と絵札がセットになっており、遊び方については、読み札が読まれるのを聴き、それに対応する絵札を早く取る、つまり文や句を認知して絵札を早くとるのを競うものであった。
【発明の開示】
【発明が解決しようとする課題】
【０００３】  一般に馴染みの深いカルタ遊びの基本を利用し、年齢層を問わず気楽に参加することができる、新しい遊具の作成を課題とした。
【課題を解決するための手段】
【０００４】  読み札ではなく、ＣＤ等の媒体を通じて再生される音楽等を聴いて、それに対応する絵札をとる。カルタと音楽、それぞれは馴染みの深いものであるが、その掛け合わせにより、斬新でありながら、初めての人にも受け入れやすい遊具になりこの課題を解決する。
【発明の効果】
【０００５】  ルールの基本が一般に馴染みの深いカルタ遊びと同じなので、老若男女幅広い層で楽しむことができる。また、音楽の分野を絞ることによっても様々な効果に期待できる。【０００６】  読み札にあたる音楽をクラシック音楽にした場合は、クラシック音楽愛好家の中で盛り上がるのはもちろんのこと、幼児や学生対象の音楽教育において、無理なく効果を上げることについても期待できる。クラシック音楽に馴染みの少ない人も、このカルタを通じて親しむきっかけになるのではないかと考える。【０００７】  幅広い時代の流行曲が満遍なく入っていれば、家族団らんの方法としても利用できる。【０００８】  音楽ではなく、映画、アニメーション、ドラマ等の名場面のサウンドトラックと、その場面やセリフが描かれた絵札がセントである場合も、一部愛好家の中での高い需要が期待できる。【０００９】  従来のカルタの中には、読み札を人が読むのをカセットテープやＣＤ等に録音し、それを同胞し商品化されているものは存在した。しかし、従来のカルタ遊びが文や句を認知して絵札をとっていたのに対し、本発明のカルタは音楽あるいは音声を認知して絵札をとるという点において大きく違い、これは新しい娯楽遊具と言える。【００１０】  また、ある一つの楽曲について、編曲や演奏が違えばそれぞれ違うトラックとして扱うことができる。更に、セリフなどのように全く同じ文を使っていても、音声が違えば、これも別のトラックとして区別できる。これらの点についても、従来のカルタのように文や句ではなく、音楽や音声を認知して絵札を取る本発明のカルタの大きな特徴である。
【実施例】
【００１１】  以下、本発明の実施例について説明する。【００１２】  本発明のカルタは、従来のカルタ遊びの読み札の役割を果たす音楽入りのＣＤと、それに含まれる曲に対応する絵札によって構成される。曲数については、製作者の任意であるが、５０曲から１００曲程度が望ましい。絵札については、１曲に対して１枚、つまりＣＤに収録された曲数と同じ枚数ある。【００１３】  絵札には、曲の題名や、関連するイラスト、写真等が描かれている。また、プレイ時にとったカードが正しいものであるか確認しやすいように、トラックの番号を小さく入れる。さらに、曲に関する説明等を裏面に書くことにより、トレーディングカードのように仕上げることもできる。【００１４】  ゲームを始めるために、本発明のカルタの他に、音楽を再生するためのＣＤプレイヤーを準備するが、このＣＤプレイヤーにはＣＤのトラック表示機能と、ランダム再生機能が必要となる。【００１５】  参加人数は、従来のカルタと同じく２人から６人程度が良い。遊び方についても、従来のカルタとほぼ同じように進行する。【００１６】  ＣＤをランダム再生し、再生された音楽を聴き、その音楽に対応する絵札を早くとることを競う。誰かが絵札をとったら、ＣＤプレイヤーに表示されているトラック番号と絵札に記載のトラック番号が一致しているかどうかを確認する。この一致、不一致について参加者間で周知の場合は確認の必要は無い。【００１７】  従来のカルタと同様、再生した曲に対応しない誤った絵札をとったときは、次のトラックの再生では参加できないなどのペナルティをつけることもできる。【００１８】  以下同様に繰り返し、ＣＤに含まれる曲すべてを再生し終えた時点で、絵札をより多く持っている者が勝者となる。
【産業上の利用の可能性】
【００１９】  本発明に係るカルタを構成する、ＣＤ等の媒体および絵札は、工業的に量産することが可能であるため、産業上の利用可能性を有する。
(57)【要約】【課題】紙皿が風に飛ばされにくくするための、飲み物も横に入れれる紙皿を提供する。【解決手段】紙皿（１）に、切り込み部（５）が入れてある、飲み物取り付け部（３）と接続片（２）を、同じ材質の紙で、一体化させたことを特徴とする。【選択図】  図１
2006150028.tif 000002
【特許請求の範囲】
【請求項１】
任意形状の紙皿（１）と、紙皿（１）に延設された接続片（２）と、接続片（２）の多端側に延設された飲み物取り付け部（３）とより構成され、前記飲み物取り付け部（３）は、任意の飲料缶や紙コップなどの容器を差し込み、固定するための開口部（４）と、開口部（４）から切り込まれ容器形状にあわせて調整するための、切り込み部（５）とよりなるものであることを特徴とする安定紙皿。
【発明の詳細な説明】
【技術分野】
【０００１】本発明は、風によって、飲み物が入ってる容器や紙皿が、飛んで行かないようにするための紙皿に関するものである。
【背景技術】
【０００２】従来の紙皿は、固定されてない為、風が吹く毎に、紙皿を手で押さえていた。
【発明の開示】
【発明が解決しようとする課題】
【０００３】これには、次のような欠点があった。
（イ）紙皿にのせてあった食べ物の残りや液体が、周辺に飛び散り、汚れ、ゴミが増えた。
（ロ）風に飛ばされた紙皿を拾いに行かなければならなかった。
（ハ）風に飛ばされた紙皿を、再度、使いにくく捨てていた。
（ニ）誰の紙皿かわかりにくかった。
本発明は、これらの欠点をのぞく課題とする。
【課題を解決するための手段】
【０００４】上記課題を解決するために、紙皿（１）と、紙皿（１）に延設された接続片（２）と、飲み物取り付け部（３）を接続し、同じ材質の紙で一体化する。
本発明は、以上のような構成よりなる安定紙皿である。
【発明の効果】
【０００５】本発明を使用することにより、風が吹いても、飲み物の容器の重みで、紙皿が、飛ばされることなく、両手がふさがっていたり、乳幼児を持つ親子連れには、安心して楽しむことができる。
【発明を実施するための最良の形態】
【０００６】以下、本発明の実施の形態を説明する。
（イ）紙皿（１）は、紙皿（１）内に、くぼみ（６）をつける。
（ロ）飲み物取り付け部（３）の内側に、開口部（４）から切り込み部（５）を入れる。
（ハ）紙皿（１）と、飲み物取り付け部（３）と、接続片（２）を同じ材質の紙で、一体化させる。
（ニ）本発明は、以上のような構造で、これを使用するときには、缶ビール、ペットボトル、紙コップ、どの飲み物に対しても、飲み物取り付け部（３）の内側に、開口部（４）から、切り込み部（５）が入れてあるので、自由に飲み物を入れ替えることができる。
【図面の簡単な説明】
【図１】本発明の正面図である。
【図２】本発明の使用状態を示す斜視図である。
【符号の説明】
１  紙皿                        ４  開口部
２  接続片                      ５  切り込み部
３  飲み物取り付け部            ６  くぼみ
【図１】
2006150028.tif 000003
【図２】
2006150028.tif 000004
(57)【要約】【課題】従来のこたつ布団用カバーは、取替えの都度こたつの天板を持ち上げなければならないという問題点があった。これは、こたつ布団用カバーは、こたつ布団全体を覆う構造になっているため取り替えるたびに、その上にのせる天板を持ち上げなければ、こたつ布団からこたつカバーを取り外せなかったためである。【解決手段】こたつ布団用カバー表面布１に孔２を設け、さらに装着が容易にできるように切り込み部分５、６、７、８を設け、孔２の周縁部３に弾性素材４を取り付け、同様にこたつカバー裏面布９に孔１０を設け、切り込み部分１１，１２，１３，１４を設け、その周縁部１５に弾性素材１６を取り付け、表面布１と裏面布９とを重ね合わせ周囲を縫着し構成した。これにより、こたつ布団用カバーを取り替えるたびにこたつの天板１９を持ち上げることなく容易にこたつ布団２０へ着脱することができ、こたつ頂面部分を覆っている不要な布を取り除くことができ、軽量化することができる。【選択図】図１
2006150022.tif 000002
【特許請求の範囲】
【請求項１】
一般的な表面が平面形状であるこたつに用いられるこたつ用布団全体を覆うためのこたつ布団用カバーであって、前記こたつ布団用カバーの表面布と裏面布のそれぞれの中央部分にこたつ用布団を挿入するための同形状の孔を設け、表面布と裏面布のそれぞれ孔の周縁に伸縮自在の弾性素材を取り付け、数箇所の切り込みを設けた表面布と裏面布を重ね合わせ周囲を接合したことを特徴とするこたつ布団用両面孔あきカバー。
【発明の詳細な説明】
【技術分野】
【０００１】  本発明は、こたつ布団用カバーの表面布と裏面布の各々中央部分に、こたつ布団の挿入口として孔を設け、その周縁部分に伸縮自在の弾性素材を取り付け、切り込み部分を設け周囲を密閉したこたつ布団用カバーに関するものである。
【背景技術】
【０００２】  従来よりあるこたつ布団用カバーは、こたつ用布団の全体を覆うようにして用いられているものだった。【０００３】  また、こたつ布団用カバーの一面において穴を形成し、他面の中央部にゴム輪を伸縮自在に取り付けたものも提案されているものだった。【０００４】  〔実用新案文献〕実願昭５３−３４５７７
【発明の開示】
【発明が解決しようとする課題】
【０００５】  以上に述べた従来のこたつ布団用カバーでは、そのこたつ布団全体を覆っているカバーの着脱をするたびに、こたつの使用に際して通常併用されているこたつ用天板を持ち上げなければならないうえ、覆う必要のないこたつの頂面部分についても覆われているものであった。
【課題を解決するための手段】
【０００６】  本発明は、通常こたつに用いられるこたつ用布団に装着されたこたつ布団用カバーの表面布と裏面布の各々中央部に任意形状の孔を設け、その周縁部に伸縮自在の弾性素材を取り付け、その周縁部の数箇所に切り込みを設け、頂面形状が正方形形状のこたつ、ならびに頂面形状が長方形形状のこたつに対して適用されることはもとより、これだけに限定されるものではなく、適宜頂面形状のこたつに対し適用することができる構成であり、また、こたつ布団用カバーの表面布と裏面布を重ね合わせその周囲を縫着することにより上記問題点を解決しているものである。
【発明の効果】
【０００７】  上述したように、本発明のこたつ布団用両面孔あきカバーはカバーの表・裏両面に孔を設け、その周縁部の数箇所に切り込みを入れ弾性素材を取り付けることにより、重量のある天板を持ち上げることなく容易にこたつ布団カバーの取替えができる。【０００８】  そして、この周縁部に切り込みを入れ、弾性素材を取り付けることにより限定された頂面形状にこだわることなくどのこたつに対しても適用することができ、また孔の周縁部には弛緩もなく、こたつ布団用カバーとこたつ布団とは常に密着して布団カバーの機能を果たすことができる。
【発明の実施するための最良の形態】
【０００９】  本発明のこたつ布団用両面孔あきカバーは、表面布と裏面布を重ね合わせ周囲を縫着し、その中心部分の孔からこたつの天板を通しこたつの頂面側から床面側に向けて垂れ下げられた状態で、こたつの周側面を覆うこたつ用布団をカバー内に収納するものである。また、表布面と裏布面の孔の周縁部分に切り込みを設け、弾性素材を取り付けることにより限定された頂面形状にこだわることなくどのこたつに対しても適用することが可能となり、よりこたつ用布団を容易に収納でき、孔の周縁部には弛緩もなくカバーとこたつ布団が密着することができる。
【実施例】
【００１０】  以下、添付図面に従って本発明の実施の形態を説明する。図１において１はこたつ布団用カバーの表布面で、２は表布面１中央部分に設けた孔である。３はその周縁部であり、４は孔２の弛緩を防ぐため、この周縁部３に取り付けた伸縮自在の弾性素材である。また、５・６・７・８はどのこたつに対しても適応することができ、こたつ布団用カバーをこたつ布団に容易に装着するための切り込みで、孔２の周縁部３に設ける。【００１１】  そして、図２において９はこたつ布団用カバーの裏布面で、１０は裏布面９の中央部分に設けた孔である。孔１０の周縁部１５に表布面１と同様の伸縮自在の弾性素材１６を取り付け、その取り付け方は直接取り付ける手段あるいは、孔の周縁部を袋縫いしその中を通して取り付けることとし、切り込み１１・１２・１３・１４を設ける。【００１２】  次に、こたつ布団用カバーの表布面１と裏布面９を重ね合わせ周囲を縫着し、表布面１の孔２と裏布面９の孔１０からこたつの天板１９を通し、こたつの頂面側から床面側に向けて垂れ下げられた状態で、こたつの周側面を覆うこたつ布団２０をこたつ布団用カバーに収納することができる。
【図面の簡単な説明】
【００１３】
【図１】本発明のこたつ布団用両面孔あきカバーの表正面図である。
【図２】本発明のこたつ布団用両面孔あきカバーの裏正面図である。
【図３】本発明のこたつ布団用両面孔あきカバーをこたつ用の天板を通し、こたつの頂面側から床面側に向けて垂れ下げられた状態で、こたつの周側面を覆うこたつ布団をカバーの中に収納し、こたつ用の天板をはずした状態を示す概略的な斜視図である。
【図４】本発明のこたつ布団用両面孔あきカバーをこたつ布団に装着して、こたつ用の天板を載せた状態を示す概略的な斜視図である。
【符号の説明】
【００１４】１          こたつ布団用カバーの表面布
２、１０    孔
３、１５    周縁部
４、１６    弾性素材
５、６、７、８、１１、１２、１３、１４  切り込み部
９          こたつ布団用カバーの裏面布
１７、１８  弾性素材通し用袋縫い部分
１９        天板
２０        こたつ布団
【図１】
2006150022.tif 000003
【図２】
2006150022.tif 000004
【図３】
2006150022.tif 000005
【図４】
2006150022.tif 000006
(57)【要約】【課題】部屋の天井から吊るすタイプは設置にコストが掛かるのと外観の低下があった。そこでコスト低下と外観をよくすることを課題とした。【解決手段】上記の課題を解決するための請求項１の発明は、物干し器具はサッシ中央の出っ張り部にネジで後付け設置が可能でネジを締めて固定して使用する。ネジを外せば別の場所でも設置可能であるもの。使用時には支え棒と物干し棒を取り付けることで物干し棒が床と平行になり、ハンガーやピンチ付ハンガー等を掛ける事ができる。未使用時には支え棒を外す事でコンパクトになり、またこの未使用時には通常家庭に設置してあるカーテンに隠れることで外観を損なうこともない。【選択図】図５
2006150029.tif 000002
【特許請求の範囲】
【請求項１】
本器具はサッシ中央の出っ張り部に本器具についているネジで挟めて固定し設置するもので使用時は支え棒を付ける事で床と水平にして洗濯物を干せる状態にする。また未使用時は支え棒を外す事でコンパクトにできる物干し器具。
【発明の詳細な説明】
【技術分野】
【０００１】本発明は室内取り付け式の物干し竿に関する技術分野
【背景技術】
【０００２】従来室内の物干し器具としては天井などに固定して吊り下げるものが知られる。
【特許文献１】特開２００３−２２５４９８号公報
【発明の開示】
【発明が解決しようとする課題】
【０００３】上述のような部屋の天井から吊るすタイプは設置にコストが掛かるのと外観の低下があった。そこでコスト低下と外観をよくすることを課題とした。
【課題を解決するための手段】
【０００４】上記の課題を解決するための請求項１の発明は、物干し器具はサッシ中央の出っ張り部にネジで後付け設置が可能でネジを締めて固定して使用する。ネジを外せば別の場所でも設置可能であるもの。【０００５】使用時には支え棒を物干し棒に取り付けることで物干し棒が床と平行になり、竿部にハンガーを掛けたりピンチ付ハンガー等を掛けたり出来る。未使用時には支え棒を外す事でコンパクトになり、またこの未使用時には通常家庭に設置してあるカーテンに隠れることで外観を損なうこともない。
【発明の効果】
【０００６】本発明により、洗濯物が室内において一番乾きやすい場所で、また窓付近の通常生活での未使用スペースを有効に設置使用することが出来る。
【発明の実施するための最良の形態】
【０００７】以下図面により本発明の実施形態としての物干し器について説明すると、図１はその使用時の状態を示す斜面図、図２は未使用時の斜面図、図３は未使用時の背部斜面図、図４は接合部拡大図、図５は使用時モデル図である。
【０００８】サッシ中央の出っ張り部に接する３の裏側、６，７の接触部には薄いゴム状シートを貼っておくことで滑り止め効果を要したもの。
【０００９】サッシ中央の出っ張り部にネジ固定部４に取り付けている５のネジを回してネジ先端部６と基盤固定部７で挟みサッシ中央の出っ張り上部に固定する。
【００１０】使用時には竿部１の穴部９に支え棒３の先端部８を差し込んで固定する。この時９と８を繋ぐとき、１と３は直角にして使用する。
【産業上の利用可能性】
【００１１】本発明に係る物干し器具は工業的に量産する事が可能であるため、産業上の利用可能性を有する。
【図面の簡な説明】
【００１２】
【図１】
本体使用時斜視図
【図２】
本体未使用時斜視図
【図３】
本体未使用時背部斜視図
【図４】
接合部拡大図
【図５】
使用時モデル図
【符号の説明】
【００１３】１    竿部
２    支え棒
３    基盤部
４    ネジ固定部
５    ネジ
６    ネジ先端部
７    基盤固定部
８    接合凸部
９    接合凹部
１０  ゴム状シート
【図１】
2006150029.tif 000003
【図２】
2006150029.tif 000004
【図３】
2006150029.tif 000005
【図４】
2006150029.tif 000006
【図５】
2006150029.tif 000007
(57)【要約】【課題】消火器カバーとして使用しながら、消火器を使うほどでもない出火の場合、そのカバーを広げて消火布として使用でき、夜間の災害における急な停電でも、表示部が発光してその位置を認識できる、消火器カバー兼消火布を提供する。【解決手段】消火器カバー本体が、一枚の消火布を折りたたんでスナップホック等で留めてできているので、消火器の汚れやイタズラ防止になる他、消火器を使うほどではない出火の場合、このカバーを取り外して広げて消火布として使用でき、又、消火器カバーとして使用時、その正面に法定表示の「消火器」の文字と「消火布」にもなることがわかるように、表示が蓄光素材を利用して描かれていることを特徴とする。【選択図】図１
2006150026.tif 000002
【特許請求の範囲】
【請求項１】
いわゆるてんぷら油火災程度の出火の場合、火元に被せて消火することができる不燃素材の消火布（消火シート）を、折りたたんでスナップホックあるいは面ファスナー等の着脱可能な部材で留めることにより、下端開放の袋状になり、これを消火器に被せて消火器カバーとなるように加工されていて、消火器と消火布を一緒に配置できることを特徴とする、消火器カバー兼消火布。
【請求項２】
消火器カバーとしての使用状態において、その正面に法定表示の「消火器」の文字と、「消火布」にもなることがわかるように表示が施されている請求項１に記載の消火器カバー兼消火布。
【請求項３】
上記の表示が蓄光素材を利用し、夜間の災害等で急に停電になったときもこの表示部分が発光して暗闇でも消火器の位置がわかるようになっている請求項１又は請求項２に記載の消火器カバー兼消火布。
【発明の詳細な説明】
【技術分野】
【０００１】  この発明は消火器カバーとして使用しながら、消火器を使うほどではない出火の際には、消火器カバーを広げて消火布にもなるように加工された防火用品に関するものである。
【背景技術】
【０００２】  従来消火器は、消火器格納箱に格納して設置している他、ほとんどはそのままの状態で、床や設置台に設置していた。（特許公開２００２−２８２３７６の消火器カバー使用時は除く）また、消火布（消火シート）は火元に被せて火を消すという単一の機能であって、それを収納、配置する場所を必要とした。（特許公開平０９−２０６３９３の台所用消火マットを除く）
【発明の開示】
【発明が解決しようとする課題】
【０００３】  これは次のような欠点があった。
（イ）出火の際、消火器は大変有効なものであり、法定で設置が義務付けられている場所も多いが、使用後の後始末が非常に大変であり、いわゆるてんぷら油火災程度の出火の際には、消火器の使用をためらってしまう。
（ロ）上記のような場合、消火布（消火シート）があれば便利であるが、消火器と消火布を一緒に配置することは知られていない。
（ハ）消火器は法定で義務付けられている場所では消火器格納箱等に格納されていることもあるが、家庭内の他、多くは消火器本体を外部に露出した状態で設置しているため、消火器にホコリや飛散物、屋外では雨等がかかって、外面が汚れたり、劣化することもある。
（ニ）消火器が外部に露出した状態で設置していると、消火器を作動させるための作動部がイタズラされて使用が困難、または不可能になるという問題もある。
（ホ）消火器は、小さな子供にはちょうど手の届く高さなので、消火器本体を露出した状態だと、手に触れて誤作動する危険性も考えられる。
（ヘ）夜間の災害の場合、急に停電になることもあり、消火器の位置がわからなくなることもある。
本発明は、これらの欠点を解決するためになされたものである。（ハ）、（ニ）、（ホ）については特許公開２００２−２８２−３７６の消火器カバーでも解決できるが、上記のすべてを解決するには本発明以外にはない。
【課題を解決するための手段】
【０００４】  本発明に係る消火器カバー兼消火布は、いわゆるてんぷら油火災程度の出火の場合、火元に被せて消火することができる不燃素材の消火布を折りたたんで、スナップホック等で留めることにより、下端開放の袋状の消火器カバーになる。これによれば、消火器のよごれや、イタズラ防止になる他、消火器を使うほどではない出火の際には、このカバーを取り外して広げて、消火布として使用すればよい。また、本発明では、消火器カバーとして使用時に、その正面に法定表示の「消火器」という言葉を含む「消火器カバーは消火布になります」という表示が蓄光素材を利用して施されている。
【発明の効果】
【０００５】  以上のように、本発明の消火器カバー兼消火布によれば、消火器を使うほどでもない出火の場合、消火器からこのカバーを取り外し、広げて消火布として火元に被せて消火することができるとともに、平常時には消火器を覆って汚れやイタズラされるのを防止することができるし、消火器と消火布を一緒に配置することは、初期消火において大変合理的である。
【発明を実施するための最良の形態】
【０００６】  以下、本考案の実施の形態について図１から図４に基づいて説明する。
（イ）図１は本発明の実施形態に係る、消火器カバーとしての使用状態の正面図であり、正面に法定表示の「消火器」の文字と「消火布」にもなるという内容の説明書きを施し、「消火器」と「消火布」の文字は特に目立つように、赤文字または赤地領域に白抜き文字で蓄光素材を利用して描いている。又、消火器の簡略図を描くことも良い。
（ロ）図２は消火器カバーとして使用状態の側面図で、折りたたんだ消火布をスナップホック等で留めることにより、下端開放の袋状になり、消火器カバーとなる。
（ハ）図３は消火器カバーを消火器から取り外してスナップホック等をはずして広げて、四角形状の消火布とした図である。
（ニ）図４は図３を裏返した状態から、順番にこの消火布を折りたたんでスナップホック等で留めると下端開放の袋状に形成され、消火器カバーになることを説明する図である。
【図面の簡単な説明】
【０００７】
【図１】  消火器カバーとして使用時の正面図である。
【図２】  消火器カバーとして使用時の側面図である。
【図３】  消火器カバーを広げて消火布の状態の平面図である。
【図４】  消火布を折りたたんで消火器カバーになることを説明する図である。
【符号の説明】
【０００８】  Ａ  消火器カバー
Ｂ  消火布
１  スナップホック
２  表示
３  不燃素材布地
４  折り目線
【図１】
2006150026.tif 000003
【図２】
2006150026.tif 000004
【図３】
2006150026.tif 000005
【図４】
2006150026.tif 000006
(57)【要約】      （修正有）【課題】両手がふさがれることなく持ち運ぶことができ、公衆浴場でのプライベートグッズの持ち運びにも活用できるバッグの提供。【解決手段】浴室で使用可能な防水加工を施したリュック型もしくは肩掛け型もしくはトート型の浴室使用のバッグ。【選択図】図１
2006150027.tif 000002
【特許請求の範囲】
【請求項１】
浴室で使用可能な防水加工（素材・形状等において）を施したリュック型もしくは肩掛け型もしくはトート型の浴室使用のバッグ。
【請求項２】
請求項１記載の防水バッグを『生理による血液でバスマットや脱衣所を汚さない』という意味合いで商品価値をうたい、販売すること。
【請求項３】
請求項１記載の防水バッグを『公衆浴場でマイシャンプー、マイ化粧品などのプライベートグッズを持ち運べる』という意味合いで商品価値をうたい、販売すること。
【発明の詳細な説明】
【技術分野】
【０００１】本発明は、浴室で荷物を濡らさないための防水バッグに関する。
【背景技術】
【０００２】女性の生理による血液は、バスマットや脱衣所を汚してしまうことが多い。バスマットはそのもの自体の性質上液体を吸収しやすく、また血液によるシミは落としにくい。【０００３】公衆浴場にいたっては自分の下着にたどり着くまでの移動距離が長いので、汚してしまうリスクが高く自宅以上に深刻な問題である。【０００４】公衆浴場でマイシャンプー、マイ化粧品などプライベートグッズをカゴに入れて持ち歩いている方がいるが、かさばるうえに片手がふさがれてしまっている。公衆浴場の床は滑りやすいところが多く、お年寄りの方や子連れの方は特に危険である。
【発明の開示】
【発明が解決しようとする課題】
【０００５】生理中の女性が入浴の際に血液でバスマットや脱衣所を汚さないですむことと、公衆浴場でプライベートグッズを持ち運ぶ際に両手がふさがれないですむこと。
【課題を解決するための手段】
【０００６】浴室内でショーツ、ナプキンを着用できればよいので、バスタオル、ショーツ、ナプキンを濡らさないですむ防水バッグがあればよいのである。浴室内なので、血液の汚れもシャワーで流すだけですむので、あわてることなく体を拭くことができる。【０００７】この防水バッグはリュック型もしくは肩掛け型にして、両手がふさがれることなく持ち運ぶことができる。公衆浴場でのプライベートグッズの持ち運びにも活用できる。
【図面の簡単な説明】
【０００８】
【図１】素材は全て防水効果の高いものを使用している。リュック型バッグ。１のポケットはメッシュで、口部分はギャザーになっている。
【０００９】
【図２】素材は全て防水効果の高いものを使用している。肩掛け型バッグ。１のポケットはメッシュで、口部分はギャザーになっている。
【図１】
2006150027.tif 000003
【図２】
2006150027.tif 000004
(57)【要約】【課題】  弾性ゴム皿に振動装置を付けた振動装置付き調理器具を提供する。【解決手段】  弾性ゴム皿の下に振動装置を固着して、受け口を設けた台にはめ入れたことを特徴とする振動装置付き調理器具である。【選択図】  図１
2006150016.tif 000002
【特許請求の範囲】
【請求項１】
弾性ゴム皿の下に振動装置を固着して、受け口を設けた台にはめ入れたことを特徴とする振動装置付き調理器具。
【発明の詳細な説明】
【技術分野】
【０００１】  本発明は振動装置により振動する振動装置付き調理器具に関するものである。
【背景技術】
【０００２】  従来、調理の砕く、混合、練るにおいてミキサ−があった。
【発明の開示】
【発明が解決しょうとする課題】
【０００３】  ミキサ−は強制的に作動するので、調理内容や食材によっては組織が砕けすぎて不向きであった。また、へらや手では、斑になりがちになるという問題点があった。
【課題を解決するための手段】
【０００４】  弾性ゴム皿の下に振動装置を固着して、台の受け口にはめ入れる。以上を特徴とする振動装置付き調理器具である。
【発明の効果】
【０００５】  弾性ゴム皿の下と、受け口との接触部分を支点として、下の振動装置が横方向に振動すると上の弾性ゴム皿が共振して揺動する。よって、やんわりと、斑無く、もむ、練る、混合することができる。また、食材の組織を砕きすぎることを防止できるという利点を有する。
もむ効果により浸出、浸透にも適している。また液状食材にも有効である。
構造が簡単なので掃除が容易である。
従来に無い効果を得ることができ、応用の幅を広げることによって調理の多様化に対応できる。
【発明を実施するための最良の形態】
【０００６】  発明の実施の形態を実施例にもとづき図面を参照して説明する。
（イ）弾性ゴム皿（１）下に振動装置（２）を固着する。
（ロ）台（３）の上面に受け口（４）を設け、そこに上記の振動装置（２）部分をはめ入れる。
（ハ）台（３）の下には防振ゴム（５）を取り付ける。
本発明は以上の構成で、これを使用するときは、食材を弾性ゴム皿に載せて振動装置のスイッチを入れる。そして振動装置の強弱や作動時間で調節する。
【図面の簡単な説明】
【０００７】
【図１】本発明の一部を切り欠いた側面図
【符号の説明】
【０００８】１  弾性ゴム皿
２  振動装置
３  台
４  受け口
５  防振ゴム
【図１】
2006150016.tif 000003
(57)【要約】【課題】  洗面時に洗面器の高さが使用者の体型にあっていない場合、使用者が腰だけを曲げ、膝を曲げず、無理な姿勢をとることにより腰を痛めることが多かったが、従来は、手を使って作業姿勢の補正を行う手摺や突起物を洗面家具に取りつけることがなされていた。しかしながら、洗面などの作業は両手を使用する作業となるため、手を使って作業姿勢を保つ設備機器では、体勢が不安定となり危険となると同時に、姿勢補正の解決が図れないという問題点がある。【解決手段】  本発明は、手でなく使用者のひざの部位をクッション材にあずける事により、作業姿勢の補正を行い、上記の課題を解決したものである。【選択図】  図３
2006150018.tif 000002
【特許請求の範囲】
【請求項１】
洗面時などに使用者がひざを乗せるクッション材と、そのクッション材を洗面家具や支柱などに固定する取付け手段とを備えた、洗面などで腰を曲げる体制をとる際の使用者の姿勢を補正することにより、使用者の腰などへの負荷を軽減することを目的とする設備機器。
【発明の詳細な説明】
【技術分野】
【０００１】  本発明は、洗面時などの腰を曲げる動作を取る際の使用者の姿勢を補正することにより、使用者の腰などへの負荷を軽減するための設備機器に関するものである。
【背景技術】
【０００２】  洗面時に洗面器の高さが使用者の体型にあっていない場合、使用者が腰だけを曲げ、膝を曲げない無理な姿勢をとることにより腰を痛めることが多かったが、従来は、手を使って作業姿勢の補正を行う手摺や突起物を洗面家具に取りつけることがなされていた。
【発明の開示】
【発明が解決しようとする課題】
【０００３】  しかしながら、洗面などの作業は、両手を使用する作業となるため、手を使って作業姿勢を保つ設備機器では、体勢が不安定となり危険となると同時に、姿勢補正の解決が十分に図れないという問題点がある。
【課題を解決するための手段】
【０００４】  本発明は、手でなく使用者のひざの部位をクッション材にあずける事により、作業姿勢の補正を行い、上記の課題を解決したものである。
【発明を実施するための最良の形態】
【０００５】  本発明のひざあてクッションは、図１に示されるように、使用者のひざを乗せるクッション材１と、それを洗面家具や図２に示すような、固定用の支柱などに固定するための取付け手段２を持つ設備機器である。【０００６】  次に使用形態について説明する。本発明は、使用者の体型におうじて、床から４０センチメートルから５０センチメートルの高さに取付けられる。使用者は図３に示されるように、ひざを乗せることにより腰に負担のかからない姿勢を自然にとることが可能となり、洗面などの腰を曲げる作業において腰への負担を軽減することが可能となる。【０００７】  以上により、請求項に記載の発明によれば、洗面時の姿勢を確実に補正することが可能となり、腰などの使用者の体を痛める可能性を低くすることを確実にすることが出来る。
【図面の簡単な説明】
【０００８】
【図１】  本発明に係る姿勢を補正するための設備機器の構成を示す外観図である。
【図２】  クッション材を２つ組み合わせて支柱に固定する実施例を示した図である。
【図３】  クッション材を設置し、使用する際の使用者の動作を説明する図である。
【符号の説明】
１・・・・クッション材
２・・・・取り付け手段
３・・・・支柱
４・・・・洗面器
【図１】
2006150018.tif 000003
【図２】
2006150018.tif 000004
【図３】
2006150018.tif 000005
(57)【要約】      （修正有）【課題】机上又は手に持ちながらの長時間の読書は疲れ易いのでこれを避けるため楽に読書が出来る書見台とする。【解決手段】天板１の左右両側に高さ調整可能の脚を設け色々な姿勢で楽に読書が出来るようにする。書籍保持板８は角度を調整することが出来又、書籍保持板８中央付近の一点を中心にして回すことができる。ページ押えにはクリップ９を利用する。【選択図】  図１
2006150014.tif 000002
【特許請求の範囲】
【請求項１】
イ    天板の両端に高さ調整可能な折畳み式の脚を取り付ける。
ロ    脚は固定用支柱と固定金具により角度の調整が出来また固定できるようにする。
ハ    書籍のページ押えは書籍保持板の左右外側からクリップによって押さえる。
ニ    そのため書籍保持板には書籍の大小に関わらずクリップの使用が出来るように左右両側から中央に向けて凹部を設ける。
ホ    書籍保持板は角度調整が可能であること。
ヘ    書籍保持板は上下二枚からなり上の板は中央付近の下の板との接着ボルトを中心にして回すことが出来ること。又下端には書籍のずり落ちを防ぐ止板を設ける，  下の板は下端に蝶番を付けて天板に取り付ける。
以上のように構成した書見台
【発明の詳細な説明】
【技術分野】
【０００１】本発明は読書する場合，書籍を台に載せて読書が楽に行えるようにすることに関するものである。
【背景技術】
【０００２】従来，  読書に際しては机上に本を置いて行うか又は手に持ちながら読書するのが普通であった。
【発明の開示】
【発明が解決しようとする課題】
【０００３】上述のごとく，机上又は手に持ちながらの長時間の読書では疲れやすい為その場所も限定されてくる。
【課題を解決するための手段】イ  書見台は高さ調整が出来る脚付きの台とする。
ロ  読書は気楽に出来るように色々な姿勢が取れるよう脚の高さを調整する。
ハ  ページ押えは書籍の左右両側から事務用又は洗濯用のクリップにて押さえる。
ニ  書籍は傾斜角度を調整出来るようにした保持板の上に載せる。
【発明の効果】
【０００４】イ  読書の場所，姿勢，については  脚の高さの調整が簡単に行えるので正座，椅子，ソファー，机上，仰臥，等のいずれにも対応できるようになった。
ロ  従って長時間の読書も疲れることが少なくなる。
ハ  ページ押えは書籍の大きさが変わっても簡単に行えるので楽しい読書が出来る。
ニ  月刊雑誌，単行本，文庫本，等の読書に使用できる。
【図面の簡単な説明】
【０００５】
【図１】  正面図（脚部の高さが最高の状態）
【図２】  平面図
【図３】  側面図（脚部の高さが最高の状態）
【図４】  下部の脚部を一回折り畳んだ状態（折り畳んだ脚はマグネットでとめている）の正面図
【図５】  脚部を完全に折り畳んだ状態の正面図と側面図
【図６】  書籍保持板の平面図と側面図
【図７】  種々の使用状態を示す説明図
【符号の説明】
【０００６】１：天板    ２：上脚    ３：下脚    ４：蝶番    ５：脚固定用支柱    ６：下脚固定金物    ７：マグネットキャッチ（下脚折畳み支持）    ８：書籍保持板    ９：クリップ（事務用又は洗濯用）    １０：書籍保持板の回転中心ピン（上板と下板の接着ボルト）
【図１】
2006150014.tif 000003
【図２】
2006150014.tif 000004
【図３】
2006150014.tif 000005
【図４】
2006150014.tif 000006
【図５】
2006150014.tif 000007
【図６】
2006150014.tif 000008
【図７】
2006150014.tif 000009
(57)【要約】【課題】従来からあるトランプカードを正六面体のキューブにすることにより、ゲーム機能をより充実させようとするものである。【解決手段】従来からあるトランプカードの表裏数字面と絵柄面を、正六面体キューブの三面に数字面を描画し、他の三面に絵柄面を描画させたことを特徴とするキューブ型トランプ。【選択図】図１
2006150020.tif 000002
【特許請求の範囲】
【請求項１】
正六面体の各面において、トランプ３枚分の表面を任意の３面に表示し、他の３面には、トランプカード裏側の絵柄を表示したことを特徴とするキューブ型トランプ。
【発明の詳細な説明】
【技術分野】
【０００１】  本発明は、正六面体の駒の三面に従来のトランプカードで数字が表示されている面を、  他の三面にトランプの裏側に当たる絵柄面を描画させたキューブ型トランプに関するもので
ある。
【背景技術】
【０００２】従来のトランプは、素材がカードで表側のハート、スペード、クラブ、ダイヤのマークと共に数字が表示される面と、裏側に当たる絵柄が描画されている面とがあった。
【発明の開示】
【発明が解決しようとする課題】
【０００３】そのため、カード一枚当りは一種類の数字面あるいはジャック、クイーン、キングなどの図柄面でしかなく、限られたものであった。
本発明は以上の問題点を解決しようとするものである。
【課題を解決するための手段】
【０００４】正六面体の駒の三面に従来のトランプでは数字が表示されている面を、他の三面にその裏側に当たる絵柄面を描画させた、キューブ型トランプとする。
【発明の効果】
【０００５】正六面体の駒一個で三枚分のトランプカード機能を有することになり、従来のように一枚のカードに対して一つの情報という単純なものから、一個の駒に対してトランプカード三枚分の情報量を有することは、従来のカードでは味わえなかったトランプゲームを楽しむことを可能にするものである。
【発明を実施するための最良の形態】
【０００６】以下、本発明の実施の形態を説明する。
図１で（２）、（４）は数字面、（３）は従来のトランプカードでは数字の表示がある裏側に当たる絵柄面をそれぞれ描画したもの。
図２は、図１の駒の展開図で（２）、（４）、（６）は数字面、（３）、（５）、（７）は絵柄面をそれぞれ描画したもの。
図３は、図１の駒を左端にして正六面体の駒を横に連ねて並べているところである。
本発明は、全体を正六面体のキューブ型としてトランプを形成する。この六面のうち、任意の三面には、ハート、スペード、クラブ、ダイヤの四種類のマークを使った数字面の内、任意の数字面を描画し、他の三面には数字面の裏側に当たる絵柄面を描画する。本発明の遊び方の例を示すと、駒の絵柄面を見えるようにし、数字面は隠れるようにしてテーブルの中央に積み上げ、各プレーヤーが一つずつ駒を手元に取り寄せ並べていく。手元の駒一つには従来のトランプカード三枚分を有していることになる。その三枚分の中から一枚分の数字を選んでもよいし、三枚分を合計して一番数字の多い者を勝者とすることもできるし、或いはその駒一つにカード三枚を保有しているものとして従来のトランプカードに準じたゲームが可能となるものである。
【図面の簡単な説明】
【０００７】
【図１】  本発明の駒単体を表す透視斜視図
【図２】  図１の駒の展開図
【図３】  本発明の正六面体駒を横に連ねて並べたところ。
【符号の説明】
【０００８】１は、正六面体キューブ
２、４、６は、数字の描画面
３，５，７は、絵柄の描画面
【図１】
2006150020.tif 000003
【図２】
2006150020.tif 000004
【図３】
2006150020.tif 000005